(57)【特許請求の範囲】
【請求項１】
上下位置調整機構と左右位置調整機構とを有するヘッドに内蔵される蒸気発生機構とミスト発生機構とから発生される蒸気とミストとを混合する混合器を設け、該ヘッドに固定される後部ヘア処理部と、位置保持自在な可動機構を介して前記ヘッドに、頂部ヘア処理部と側部ヘア処理部とを被施術者の頭部と接離自在に設けたヘア処理装置であって、頂部ヘア処理部と側部ヘア処理部及び後部ヘア処理部に加熱機と送風機とを組み込むとともに、後部ヘア処理部と側部ヘア処理部に、前記混合器に接続管を介して接続されるミスト噴霧機を組み込んだことを特徴とするヘア処理装置。
【請求項２】
可動機構が頂部ヘア処理部または側部ヘア処理部をヘッドに枢着する枢軸部に設けられる請求項１に記載のヘア処理装置。
【請求項３】
可動機構を頂部ヘア処理部または側部ヘア処理部をヘッドに取り付ける変形自在なアームとした請求項１に記載のヘア処理装置。
【請求項４】
可動機構に最小開度または最大開度または最小および最大開度で頂部ヘア処理部または側部ヘア処理部を停止させるストッパ機構が設けられている請求項１から３のいずれかに記載のヘア処理装置。
【請求項５】
後部ヘア処理部または頂部ヘア処理部または側部ヘア処理部が複数設けられる請求項１から４のいずれかに記載のヘア処理装置。
【請求項６】
上下位置調整機構が建物に固定されるヘッド取付用アームまたは高さ調整自在なヘッド取付用ワゴンまたは高さ調整自在なヘッド取付用キャスター付きスタンドである請求項１から５のいずれかに記載のヘア処理装置。
【請求項７】
左右位置調整機構が建物に固定されるヘッド取付用アームまたはヘッド取付用ワゴンまたはヘッド取付用キャスター付きスタンドである請求項１から５のいずれかに記載のヘア処理装置。
【請求項８】
ミスト噴霧機の噴霧ノズル部に液垂れ防止機構が設けられている請求項１に記載のヘア処理装置。
【請求項９】
液垂れ防止機構が噴霧ノズル部の先端内周面に設けられた環状の堰または噴霧ノズル部の外周に巻装したヒータまたは噴霧ノズル部の外周に噴霧口より先端を張出させて嵌着した吸水体またはこれらを全てまたはこれらを適宜組み合せたものである請求項８に記載のヘア処理装置。
【請求項１０】
環状の堰の内周端縁が鋭角部に形成される請求項９に記載のヘア処理装置。
【請求項１１】
混合器にミスト分配部が一体的に設けられている請求項１に記載のヘア処理装置。
【請求項１２】
混合器からのミストが開閉弁を設けた分岐部を介して分岐される請求項１に記載のヘア処理装置。
【請求項１３】
分岐部と接続されるミスト送出管に複数の接続口を形成した結露タンクが接続される請求項１２に記載のヘア処理装置。
【発明の詳細な説明】
【０００１】
【発明の属する技術分野】
本発明は美容院や理容院に配備されて染髪、パーマネント、乾燥、ウェーブ等の各種ヘア処理を行なうヘア処理装置に関するものである。
【０００２】
【従来の技術】
従来、美容院や理容院に配備されるヘア処理装置としては、加熱ヒータや送風機を組み込んだボンネット型ものが一般的に用いられている。しかし、ボンネット型のものは、被施術者の頭部全体を被套する構造となっているうえに、ボンネットに加熱ヒータや送風機等の装置の多くがボンネット部に組み込まれるので、重心が上になり、安定性が悪く、特に、移動時には不安定となる問題があった。
しかも、頭部全体を被套するため部分的なヘア処理を行なうことができないうえ、施術を行ないつつヘア処置を行なうことができないという問題があった。さらに、ヘア処理用の薬液を使用するとボンネットに薬臭が染み付いて被施術者に不快感を与えるという問題もあった。そこで、部分的なヘア処理やヘア処理と施術とを同時に行なうことのでき、且つ安定性の向上や移動時の不安定さを解消するため、ボンネットを用いず加熱ヒータや送風機を取り付けた開放型のヘア処理装置も種々提案されている。
【０００３】
しかし、開放型のため、頭部全体のヘアを均一に加熱したり、頭部全体に均一な送風を行なうことが難しいことから、モータ等により加熱ヒータや送風機を頭部の周囲で回動するようにして、頭部全体が均一に加熱されるようにしたり、頭部全体に均一な送風が行われるようにしている。ところが、加熱ヒータや送風機を頭部の周囲で均一に回動させる駆動機構は構造が複雑になることから、故障の原因となり易く長期間耐用できないという問題があるうえに、部品数が増し安価に製造できないという問題があった。しかも、駆動機構は上方に設けられるため従来と同様重心が上に位置し、安定性や移動時の不安定さがさほど改善されないという問題があった。
【０００４】
【発明が解決しようとする課題】
本発明は安定性がよいうえに、構造が簡単で安価に提供でき、しかも施術の自由度が大きいヘア処置装置を提供することを目的とするものである。
【０００５】
【課題を解決するための手段】
前述の目的を達成するため本発明は、上下位置調整機構と左右位置調整機構とを有するヘッドに内蔵される蒸気発生機構とミスト発生機構とから発生される蒸気とミストとを混合する混合器を設け、該ヘッドに固定される後部ヘア処理部と、位置保持自在な可動機構を介して前記ヘッドに、頂部ヘア処理部と側部ヘア処理部とを被施術者の頭部と接離自在に設けたヘア処理装置であって、頂部ヘア処理部と側部ヘア処理部及び後部ヘア処理部に加熱機と送風機とを組み込むとともに、後部ヘア処理部と側部ヘア処理部に、前記混合器に接続管を介して接続されるミスト噴霧機を組み込んだヘア処理装置を請求項１の発明とし、請求項１の発明において、可動機構が頂部ヘア処理部または側部ヘア処理部をヘッドに枢着する枢軸部に設けられるヘア処理装置を請求項２の発明とし、可動機構を頂部ヘア処理部または側部ヘア処理部をヘッドに取り付ける変形自在なアームとしたヘア処理装置を請求項３の発明とし、請求項１から３の発明において、可動機構に最小開度または最大開度または最小および最大開度で頂部ヘア処理部または側部ヘア処理部を停止させるストッパ機構が設けられているヘア処理装置を請求項４の発明とし、請求項１から３の発明において、後部ヘア処理部または頂部ヘア処理部または側部ヘア処理部が複数設けられるヘア処理装置を請求項５の発明とし、請求項１から５の発明において、上下位置調整機構が建物に固定されるヘッド取付用アームまたは高さ調整自在なヘッド取付用ワゴンまたは高さ調整自在なヘッド取付用キャスター付きスタンドであるヘア処理装置を請求項６の発明とし、請求項１から５の発明において、左右位置調整機構が建物に固定されるヘッド取付用アームまたはヘッド取付用ワゴンまたはヘッド取付用キャスター付きスタンドであるヘア処理装置を請求項７の発明とし、請求項１の発明において、ミスト噴霧機の噴霧ノズル部に液垂れ防止機構が設けられているヘア処理装置を請求項８の発明とし、請求項８の発明において、液垂れ防止機構が噴霧ノズル部の先端内周面に設けられた環状の堰または噴霧ノズル部の外周に巻装したヒータまたは噴霧ノズル部の外周に噴霧口より先端を張出させて嵌着した吸水体またはこれらを全てまたはこれらを適宜組み合せたものであるヘア処理装置を請求項９の発明とし、請求項９の発明において、環状の堰の内周端縁が鋭角部に形成されるヘア処理装置を請求項１０の発明とし、請求項１の発明において、混合器にミスト分配部が一体的に設けられているヘア処理装置を請求項１１の発明とし、混合器からのミストが開閉弁を設けた分岐部を介して分岐されるヘア処理装置を請求項１２の発明とし、請求項１２の発明において、分岐部と接続されるミスト送出管に複数の接続口を形成した結露タンクが接続されるヘア処理装置を請求項１３の発明とするものである。
【０００６】
【発明の実施の形態】
次に、本発明の好ましい実施の形態を図に基づいて詳細に説明する。
１は蒸気発生機構２とミスト発生機構３とを内蔵させたヘッドであり、該ヘッド１には後部ヘア処理部４、頂部ヘア処理部５、側部ヘア処理部６が取り付けられている。該後部ヘア処理部４はヘッド１に固定されるものであり、頂部ヘア処理部５と側部ヘア処理部６は位置保持自在な可動機構７により被施術者の頭部と接離自在とされるものである。また、ヘッド１は上下位置調整機構９および左右位置調整機構１０を介して被施術者の頭部位置とヘッド１位置とを調整自在としている。前記上下位置調整機構９および左右位置調整機構１０は水平回動および上下枢動自在なヘッド取付アーム１１、あるいは高さ調整自在な被施術者用椅子とヘッド取付用ワゴンまたはヘッド取付用キャスター付きスタンドとの組合わせ、あるいは高さ調整自在なヘッド取付用ワゴン、あるいは高さ調整自在なヘッド取付用キャスター付きスタンドとすることができる。
【０００７】
図１、２、３および図１７に示されるようなワゴンやキャスター付きスタンドにヘッド１が装着される場合は、ワゴンやキャスター付きスタンドによりヘッド１の上下位置を調整することができないので、図示しない高さ調整自在な被施術者用椅子を上下位置調整機構９とし、ヘッド１を装着するヘッド取付用ワゴンやヘッド取付用キャスター付きスタンドを左右位置調整機構１０とする。また、図１８、１９に示されるようなヘッド取付用ワゴンは、スライド自在なワゴンの胴部をモータ駆動により高さ調整するものとして、左右移動機構１０をもつヘッド取付用ワゴン自体に上下位置調整機構９を持たせたものとしているので、被施術者用椅子は高さ調整機能が不要となる。さらに、図２０、２１に示されるようなヘッド取付用キャスター付きスタンドは、スタンドの支柱をスライド自在なものとし、該支柱を任意の長さにおいて固定ノブ１ｂにより締め付け固定することにより高さ調整するものとして、左右移動機構１０をもつヘッド取付用キャスター付きスタンド自体に上下位置調整機構９を持たせたものとしているので、被施術者用椅子は高さ調整機能が不要となる。さらに、図２３〜図３１に示されるような、水平回動および上下枢動自在なヘッド取付アーム１１にヘッド１が装着される場合は、ヘッド取付アーム１１はヘッド１の上下および左右位置調整を行なうことができるので、高さ調整自在な被施術者用椅子は不要となる。
【０００８】
また、前記ヘッド取付アーム１１は図２３〜２８に示されるように、壁や天井に固定されるブラケット１１ａにアーム１１ｂを水平回動自在に軸支させるとともに、該アーム１１ｂの先端に伸縮アーム１１ｃの基端を上下枢動自在に軸支し、伸縮アーム１１ｃの先端にヘッド１を枢着したものである。さらに、図２９〜３１に示されるヘッド取付アーム１１は、アジャスタ機構をもって天井と床間に立設される固定スタンド１２に固定されるブラケット１１ａにアーム１１ｂを水平回動自在に軸支させるとともに、該アーム１１ｂの先端に伸縮アーム１１ｃの基端を上下枢動自在に軸支し、伸縮アーム１１ｃの先端にヘッド１を枢着したものである。このようにヘッド取付アーム１１にヘッド１を装着することにより、ヘッド１をヘッド取付用ワゴンやヘッド取付用キャスター付きスタンドに装着した場合のように、施術者の作業を邪魔することがない。
【０００９】
前記、固定の後部ヘア処理部４には図６、７に示されるような加熱機１３と送風機１４とミスト噴霧機１５が取り付けられるもので、該後部ヘア処理部４はやや上向きの傾斜をもたせて上下に並設され、上下に並設される後部ヘア処理部４は上下を同時あるいは個別に作動させることができる。さらに、後部ヘア処理部４に設けられる加熱機１３と送風機１４とミスト噴霧機１５は同時あるいは個別に作動させることができるものである。そして、後部ヘア処理部４のミスト噴霧機１５には蒸気発生機構２とミスト発生機構３により生成されたミストが供給されるものである。なお、後部ヘア処理部４は上下に並設したものとしているが、一つあるいは二つ以上を適宜配置するものとしてもよい。
【００１０】
また、前記頂部ヘア処理部５は図９、１０に示されるように、加熱機１３と送風機１４とが取り付けられ、ミスト噴霧機１５は取り付けられていない。これは頂部ヘア処理部５にミスト噴霧機１５を組み込むと、結露水が滴下してヘア処理を阻害するうえに、被施術者に不快感を与えるからである。また、前後に並設される頂部ヘア処理部５は前後を同時あるいは個別に作動させることができる。さらに、頂部ヘア処理部５に設けられる加熱機１３と送風機１４は同時あるいは個別に作動させることができるものである。また、頂部ヘア処理部５はヘッド１に可動機構７を組み込んだ図５または図１２に示されるようなアーム１６を介して取り付けられ、可動機構７により頂部ヘア処理部５は被施術者の頭部位置と接離自在とされるとともに、頂部ヘア処理部５を任意の位置で動き止め保持できるものとしている。なお、頂部ヘア処理部５は前後に並設したものとしているが、一つあるいは二つ以上を適宜配置するものとしてもよい。
【００１１】
さらに、前記側部ヘア処理部６、６は後部ヘア処理部４と同様、図６、７に示されるような加熱機１３と送風機１４とミスト噴霧機１５が取り付けられるもので、左右に配置される側部ヘア処理部６は左右を同時あるいは個別に作動させることができる。さらに、側部ヘア処理部６に設けられる加熱機１３と送風機１４とミスト噴霧機１５は同時あるいは個別に作動させることができるものである。
また、左右の側部ヘア処理部６はヘッド１に可動機構７を組み込んだ図５または図１２に示されるようなアーム１６を介して取り付けられるもので、可動機構７により各側部ヘア処理部６は個別あるいは同時に被施術者の頭部位置と接離自在とされるとともに、側部ヘア処理部６を任意の位置で動き止め保持できるものとしている。そして、側部ヘア処理部６のミスト噴霧機１５にはヘッド１の蒸気発生機構２とミスト発生機構３により生成されたミストが供給されるものである。
【００１２】
また、前記可動機構７は図４に示されるように、頂部ヘア処置部５や側部ヘア処理部６をヘッド１に取り付けるアーム１６の枢軸部に設けられるものと、図１３、１４、１５に示されるように、頂部ヘア処置部５や側部ヘア処理部６をヘッド１に取り付けるアーム１７自体にその機能を持たせたものとがあり、該アーム１７は変形自在で位置保持ができるフレキシブルチューブとしている。そして、可動機構７を枢軸部としたものは図４に示されるように、ヘッド１側の軸支部１ａと頂部ヘア処理部３あるいは側部ヘア処理部４のアーム１６の軸支部１６ａとをブレーキ機構１８を介して枢着するもので、該ブレーキ機構１８は軸支部１ａの軸筒スペーサ１８ａの両端に螺着される軸ボルト１８ｂ、１８ｂと、一方の軸ボルト１８ｂの座面と軸支部１６ａ間に介在される複数の皿ばね１８ｃと、軸支部１ａと軸支部１６ａとの間に介在される一つの皿ばね１８ｃとよりなるものである。このように皿ばね１８ｃによるばね力により軸支部１ａと軸支部１６ａ間に抵抗を与えて、頂部ヘア処理部５や側部ヘア処理部６のアーム１６を任意の角度で動き止め保持するものである。
【００１３】
また、図１３、１４、１５に示されるように、可動機構７の機能をアーム１７にもたせたものは、頂部ヘア処理部５や側部ヘア処理部６をヘッド１に取り付けるアーム１７が、変形自在で変形位置で位置保持できるフレキシブルチューブとするものであり、頂部ヘア処理部５や側部ヘア処理部６を所定の位置に移動してフレキシブルチューブを変形させれば、フレキシブルチューブよりなるアーム１７は移動した位置に頂部ヘア処理部５や側部ヘア処理部６を位置決め保持することとなる。また、アーム１７は図１５に示されるように、３本のフレキシブルチューブとしているが、側部ヘア処理部６のように水平に配置されて大きな力がかからないうえに側部ヘア処理部６が一つで軽い場合は、１本あるいは２本のフレキシブルチューブとしてもよい。
【００１４】
２０は可動機構７に設けられるストッパ機構であり、該ストッパ機構２０は枢軸式のものにおいては、図５に示されるような、アーム１６の基端に最大開度でヘッド１側のストッパ部２０ａに当接する当て面１６ａを設けるとともに、アーム１６の基方部内面に最小開度でヘッド１側のストッパ部２０ｂに当接する当て面１６ｂを形成し、前記ストッパ部２０ａ、２０ｂにより頂部ヘア処理部５あるいは側部ヘア処理部６の最大開度と最小開度を設定するものとするか、図１２に示されるように、アーム１６の基端に一定角度の円弧状切欠１６ｃを形成し、該円弧状切欠１６ｃ内にヘッド１側に取り付けたストッパピン２０ｃを配置させたものである。そして、円弧状切欠１６ｃとストッパピン２０ｃにより頂部ヘア処理部５あるいは側部ヘア処理部６の最大開度と最小開度が設定されるものとしている。また、最小開度の設定は何らかのトラブルや人がぶつかって頂部ヘア処理部５または側部ヘア処理部６がその位置で保持できなくなったとき、被施術者の頭部に頂部ヘア処理部５が当たることを防止できるので極めて重要なものとなる。
【００１５】
また、可動機構７がアーム１７によるものである場合、そのストッパ機構２０は、図１３、１４、１５に示されるように、アーム１７としてのフレキシブルチューブが前傾されたとき、フレキシブルチューブを当接させるストッパ板２０ｅを設けたものとしている。具体的には、フレキシブルチューブを直接ストッパ板２０ｅに当接させると、フレキシブルチューブを傷めることとなるので、アーム１７に取り付けられた当て板１７ａをストッパ板２０ｅに当接させるものとしている。
【００１６】
さらに、前記した加熱機１３は防護スクリーン２１を外した図６、７に示されるように、断面略半円形の環状反射板１３ａと、該環状反射板１３ａの前方に配置される環状の遠赤外線ヒータ１３ｂとからなるものである。また、該加熱機１３はパーマやヘヤダイの際、薬液の反応促進を促したり、遠赤外線効果により頭皮やヘアの細胞の代謝機能を活性化したり、洗髪されたヘアの乾燥を行なうものである。１３ｃは遠赤外線ヒータ１３ｂを支持する碍子である。
【００１７】
また、送風機１４はモータに駆動されるファン１４ａよりなるものであり、前記加熱機１３とは各別または同時に作動することができ、送風機１４のみを作動させてヘアの表面水分のみを乾燥させて艶出しを行なったり、加熱機１３と同時に作動させて急速乾燥を行なうことができるものである。１４ｂは背面に形成される送風空気吸引用のスリット状吸気口である。
【００１８】
２２はミスト噴霧機１５に設けられる液垂れ防止装置であり、該液垂れ防止装置２２は図８に示されるように、噴霧ノズル２２ａの開口内周縁に環状の堰２２ｂを形成して結露水が垂れ落ちないようにするとともに、噴霧ノズル２２ａの周囲にヒータ２３を巻装して結露水を蒸発乾燥させるようにしたり、図１６に示されるように、噴霧ノズル２２ａの外周にノズル開口より先端を張出させて嵌着した吸水体２４に結露水を吸収させるものである。また、吸水体２４の表面は外筒２２ｃにより被套されるとともに、外筒２２ｃの先端に内鍔を形成して吸水体２４の先端外周縁を係止させることにより、吸水体２４の脱落を防止できるうえに、外筒２２ｃの内鍔に付着する結露水を吸水体２４が吸水して液垂れを確実に防止することができる。さらに、吸水体２４は外筒２２ｃと一体に噴霧ノズル２２ａから取り外すことができるので、吸水体２４の吸水が限界に達したら、吸水体２４と外筒２２ｃを外して使い捨て式の吸水体２４を交換するか、ウレタン樹脂よりなる吸水体２４を絞って水分を除去したうえ、再び噴霧ノズル２２ａに吸水体２４を装着して再使用してもよい。また、外筒２２ｃに水分蒸発用の透孔２２ｄを形成すれば、該透孔２２ｄから水分を蒸発させることができるので、吸水量を増すことができ、長時間の連続使用が可能となり、外筒２２ｃの交換回数を低減でき、交換作業による稼動時間の低下を抑えてヘア処理効率を上げることができる。２５は堰２２ｂの内周端縁に形成される外広がりの鋭角部であり、該鋭角部２５は噴霧ノズル２２ａの先端に付着した結露水の成長を阻害するものである。また、前記堰２２ｂやヒータ２３、吸水体２４等は使用状況に応じてこれらを単独または複数を適宜組み合わせれば液垂れをより確実に防止することができる。
【００１９】
また、前記した蒸気発生機構２とミスト発生機構３はミスト噴霧機１５にミストを供給するものであり、蒸気発生機構２は図１１、２２に示されるように蒸気窯３０と、該蒸気窯３０内に配置されるシーズヒータ３０ａとよりなる。前記ミスト発生機構３は水タンク３１と、該水タンク３１の底部に配置させた超音波振動子３１ａと、水タンク３１内の水が既定値以下となったときに報知を行なうフロートスイッチ３１ｂと、水タンク３１に水を供給するための着脱自在な給水タンク３１ｃと、超音波振動子３１ａにより発生したミストを送出させる送風ファン３１ｄとからなるものである。３２は給水タンク３１ｃの給水ノズルであり、該給水ノズル３２は先端が閉塞され、給水水位レベル位置の側壁に通水孔を透設することにより、常に、水位を一定に維持できるものとしている。また、３３は先端を水中に位置させた水タンク３１の隔壁であり、該隔壁３３は給水タンク３１ｃが設けられた給水タンク部と超音波振動子３１ａを設けたミスト発生部とを区画し、ミスト発生部で発生されたミストが給水タンク部に流入しないようにするためのものである。３４は先端を水面から若干離した位置に配置させた区画板であり、該区画板３４はミスト発生部をミスト生成部と送風部とに区画し、ミストが送風空気により確実に送出されるようにするものである。
【００２０】
３５はミストと蒸気を混合する混合器であり、該混合器３５は図１１に示されるように、その側壁にミスト発生機構３のミスト供給管３５ａと、蒸気発生機構２の蒸気供給管３５ｂとが接続されている。蒸気供給管３５ｂはミスト供給管３５ａより上方に接続されるとともに、その先端をミスト供給管３５ａより混合器３５内に深く突出させたものとし、蒸気がミスト供給管３５ａ内に逆流することがないようにしている。また、混合器３５は図２２に示されるように、その底部にミスト発生機構３のミスト供給管３５ａと、蒸気発生機構２の蒸気供給管３５ｂとがその開口端を底部より突出させて接続している。また、蒸気供給管３５ｂはミスト供給管３５ａより前方に接続したものとし、蒸気がミスト供給管３５ａ内に逆流することがないようにしている。さらに、図２２における混合器３５は、開口５０ａが形成される水平な隔壁５０ｂにより約半分に仕切り、上部にミスト噴霧機１５にミストを分配するミスト分配部５０を一体的に設けるとともに、結露タンクの機能をもたせたものとしている。このような構造とすることにより、図１１に示されるような結露タンクが不要になり、装置を極めてコンパクト且つ、安価なものとすることができる。また、該混合器３５にはイオンまたはオゾン発生装置４２が設けられ、ミスト分配部５０にはサーミスタ４３が設けられている。混合器３５のイオンまたはオゾン発生装置４２は蒸気やミストに含まれる薬剤臭をイオンやオゾンにより分解して脱臭を行なうものであり、ミスト分配部５０に設けられるサーミスタ４３はミストの温度に基づいて蒸気とミストの混合率、すなわち、蒸気発生量を調整して蒸気の供給量を変え、ミストの温度を設定するためのものである。４６は混合器３５の底部に設けられる結露水排出用のドレン管であり、該ドレン管４６は蒸気発生機構２とミスト発生機構３と接続されている。４７は集合ドレン管であり、該集合ドレン管４７には開閉弁４７ａが取り付けられている。
【００２１】
３６は図１１に示されるように、混合器３５からのミストを分岐させる分岐部であり、該分岐部３６にはミスト送出管３６ａ、３６ｂの開口を開閉する開閉弁３７ａ、３７ｂが設けられているが、開閉弁を用いずＴ字継手により分岐するものとしてもよし、図２２に示されるように、分岐されないものとしてもよい。前記開閉弁３７ａ、３７ｂはミストをミスト噴霧機１５と外部接続口４０との双方に供給すると、ミストの供給不足が生じることがあるため、分岐部３６を交互にオンオフして切り換えることができるようにしているが、供給が十分であれば開閉弁３７ａ、３７ｂの双方を開放してもよい。３８は分岐された一方のミスト送出管３６ａの終端に接続される結露タンクである。３９は分岐された他方のミスト送出管３６ｂの終端に接続される結露タンクである。そして、該結露タンク３８には複数の接続口が形成され、該接続口は図１１に示されるように、接続管を介して後部ヘア処理部４あるいは側部ヘア処理部６のミスト噴霧機１５に接続される。また、該結露タンク３９には複数の接続口が形成され、該接続口は図１１に示されるように、接続管を介して外部接続口４０に接続される。また、前記混合器３５に接続されるミスト排出管４１には、イオンまたはオゾン発生装置４２とサーミスタ４３が設けられている。イオンまたはオゾン発生装置４２は排出管４１を通過する温かいミスト中に含まれる薬剤臭をイオンやオゾンにより分解し、ミストの脱臭を行ない、サーミスタ４３はミストの温度に基づいて蒸気とミストの混合率、すなわち、蒸気発生量を調整して蒸気の供給量を変え、ミストの温度を設定するためのものである。
【００２２】
４４は図１１に示される結露タンク３９の底部に取り付けられる結露水排水用のドレン管であり、該ドレン管４４には開閉弁４４ａが設けられている。そして、結露タンク３９に設けられたフロートスイッチ４５が満水を検知すると開閉弁４４ａを開放して結露水を排出するものである。４６は結露タンク３８の底部に取り付けられる結露水排水用のドレン管であり、該ドレン管４６は前記した蒸気発生機構２とミスト発生機構３と混合器３５と接続されている。４７は集合ドレン管であり、該集合ドレン管４７には開閉弁４７ａが取り付けられている。４８は必要に応じて外部接続口４０にホースを介して接続されるヘアキャップである。４９はアーム１６を被覆する蛇腹式のブーツである。
【００２３】
このように構成されたものは、先ず、使用環境や設置条件に合わせてヘッド取付用ワゴンあるいはヘッド取付用キャスター付きスタンドにヘッド１を取り付けたものか、高さ調整自在なヘッド取付用ワゴンあるいは高さ調整自在なヘッド取付用キャスター付きスタンドにヘッド１を取り付けたものか、建物に固定したヘッド取付アーム１１にヘッド１を取り付けたもの、あるいは両者を適宜組み合わせたものを美容室や理容室に配備する。そして、使用にあたっては、施術者は先ずヘッド１位置を被施術者の頭部位置に合わせる。この位置合わせは、ヘッド１が上下位置調整機構９と左右位置調整機構１０とを有するヘッド取付アーム１１に取り付けられているときは、図２３〜２５または図２６〜３１に示されるように、壁や天井あるいは天井と床間に立設された固定スタンド１２に固定されるブラケット１１ａに軸支されるアーム１１ｂを水平回動させるとともに、アーム１１ｂに軸支される伸縮アーム１１ｃを上下枢動させて行なう。そして、ヘッド１が上下位置調整機構９と左右位置調整機構１０とを有する高さ調整自在なヘッド取付用ワゴンあるいはヘッド取付用キャスター付きスタンドに取り付けられているときは、ヘッド取付用ワゴンあるいはヘッド取付用キャスター付きスタンドを床上で水平移動させてヘッド１の左右位置の調整を行なうとともに、ヘッド取付用ワゴンあるいはヘッド取付用キャスター付きスタンドの高さをモータ駆動により調整したり、手動で調整して固定ノブ１ｂにより締め付け固定してヘッド１の上下位置を調整する。また、ヘッド取付用ワゴンやヘッド取付用キャスター付きスタンドにヘッド１が取り付けられているとき、ヘッド取付用ワゴンやヘッド取付用キャスター付きスタンドには左右位置調整機構１０しかないので、左右方向の位置合わせはヘッド取付用ワゴンやヘッド取付用キャスター付きスタンドにより行ない、被施術者の頭部の上下方向への位置合わせは、上下位置調整機構９を有する高さ調整自在な被施術者用椅子で行なうものとする。
【００２４】
このようにして、被施術者の頭部とヘッド１との位置合わせが行われた後、図４に示されるような枢軸部に設けられた可動機構７や図１３、１４、１５に示されるような、変形自在で位置保持ができるフレキシブルチューブよりなるアーム１７を用いた可動機構７によって、頂部ヘア処理部５や側部ヘア処理部６の開度を調整し、ヘアの処理部位やヘア処理強さに応じて頭部との位置を調整する。前記枢軸部による可動機構７は皿ばね１８ｃにより枢動抵抗を与えて任意の位置で頂部ヘア処理部５や側部ヘア処理部６を位置決め保持させることができ、変形自在で位置保持ができるアーム１７による可動機構７ではフレキシブルチューブを変形させて頂部ヘア処理部５や側部ヘア処理部６の位置決め保持を行なうものとする。そして、頭部全体の乾燥を行なう際、ヘッド１と後部ヘア処理部４の高さおよび頂部ヘア処理部５を図１８あるいは図１９、図２０あるいは図２１、図２３、図２６、図２９に示される状態とするとともに、側部ヘア処理部６の位置を図３に示される若干閉じ気味の一点鎖線の状態に位置させる。
【００２５】
次いで、後部ヘア処理部４と頂部ヘア処理部５および側部ヘア処理部６の加熱機１３と送風機１４を作動させ、遠赤外線ヒータ１３ａによる加熱と、送風機１４のファン１４ａによる送風を行なう。遠赤外線による加熱と送風により、極めて効率よくヘアの乾燥を行なうことができる。しかも、遠赤外線ヒータ１３ａによる遠赤外線効果により、頭皮やヘアの代謝を活発化して傷んだ髪や頭皮を整えることができる。
【００２６】
また、薬液を用いたパーマあるいはブローセットの際には、ヘッド１と後部ヘア処理部４の高さおよび頂部ヘア処理部５を図２４、２７、３０に示されるように、頂部ヘア処理部５を最大開度まで起立させるとともにヘッド１を若干上昇させたものとする。そして、側部ヘア処理部６を図３に示される若干閉じ気味とした一点鎖線の状態に位置させる。これにより、被施術者の頭部略全体にミストが噴霧される状態に後部ヘア処理部４と側部ヘア処理部６とが配置されることとなる。この状態で後部ヘア処理部４と側部ヘア処理部６のミスト噴霧機１５を作動させて後部と側部のヘアに温かいミストを噴霧すれば、ミストはヘア内に浸透して還元アルカリにより失われる水分を補うとともに、薬液の活性化を促進することとなる。また、ブローセットの場合は、ブローセットを行なう前に、後部ヘア処理部４と側部ヘア処理部６のミスト噴霧機１５によりミストを噴霧させて、水分をヘア内に浸透させて、ブローの高温から髪を守り、乾燥し過ぎを防止する。
【００２７】
前記ミスト噴霧の際、ミスト噴霧機１５からのミストは図１１、２２に示される、蒸気発生機構２により発生された蒸気とミスト発生機構３により発生されたミストを混合器３５により混合されて温かいミストとして噴霧される。ミスト噴霧機１５は図６、７に示されるように、加熱機１３と送風機１４の中心前方に噴霧ノズル２２ａが配置されるので、加熱機１３と送風機１４がミスト流に干渉することはない。また、送風機１４による送風とミストの噴霧を同時に行なえば、ミストはより強く噴霧されてヘアの奥の隅々にまで進入して頭皮に近い位置にあるヘアにも短時間に水分を浸透させることができる。
【００２８】
また、必要に応じて、ミスト噴霧機１５と加熱機１３とを併用することにより、後部ヘア処理部４、側部ヘア処理部６により種々のヘア処理を行なうことができることとなる。また、ミスト噴霧機１５によりミストを噴霧する際、噴霧ノズル２２ａ内に付着する結露水は、噴霧ノズル２２ａの先端内周面に形成した環状の堰２２ｂや、噴霧ノズル２２ａの周囲に巻装したヒータ２３や、噴霧ノズル２２ａの外周にノズル開口より先端を張出させ吸水体２４、あるいはこれらを適宜組み合せた液垂れ防止機構２２により、結露水の垂れは確実に防止されるので、被施術者に結露水が垂れることがないので、ヘア処理時、染めむらや色むらが生じることがないうえに、被施術者に不快感を与えることがない。
【００２９】
また、図２５、２８、３１に示されるように、頂部ヘア処理部５を最小開度まで閉じた状態とすればヘッド１の上方はコンパクトに折り畳まれるので、不使用時にはヘッド１を天井付近に配置させることができるので、ヘッド１により施術者の邪魔をすることがない。また、頂部ヘア処理部５を最小開度まで閉じたとき、図５に示されるストッパ機構２０では、アーム１６の基端に設けられた当て面１６ｂがヘッド１側のストッパ部２０ｂに当接して頂部ヘア処理部５を確実に停止させることができる。また、図１２に示されるストッパ機構２０では、円弧状切欠１６ｃの一端にヘッド１側のストッパピン２０ｃが当接することにより、確実な停止が得られることとなる。また、ストッパ機構２０は頂部ヘア処理部５または側部ヘア処理部６をある角度に保持させているとき人がぶつかったり、何らかのトラブルでアーム１６が枢動して頂部ヘア処理部５が被施術者の頭部に当たったりすることを的確に防止するものである。
【００３０】
また、ミストの噴霧は、図１１、２２に示される蒸気発生機構２の蒸気窯３０内の水をシーズヒータ３０ａにより加熱して蒸気を発生させるとともに、ミスト発生機構３の水タンク３１の底部に設けた超音波振動子３１ａによりミストは発生される。そして、蒸気発生機構２による蒸気と、超音波振動子３１ａにより発生されたミストは混合器３５に送出される。そして、蒸気とミストは混合器３５内で混合されて温かいミストとなり、図１１においてはミスト排出管４１に送り出され、図２２においては、ミスト分配器５０を介してミスト噴霧機１５に送出されることとなる。このときミストはイオンまたはオゾン発生装置４２によりイオンまたはオゾンが混入されて脱臭されるとともに、サーミスタ４３により設定された温度とされる。図１１においては、ミストは分岐部３６を介して外部接続口４０に向かうものと、ミスト噴霧機１５に向かうものとに分けられる。そして、図１１においては、ミスト噴霧機１５に向かうミストは結露タンク３８に供給された後、結露タンク３８の接続口より各ミスト噴霧機１５に分配されて噴霧されることとなる。また、結露タンク３９の接続口を介して外部接続口４０に向かうミストは、必要に応じて、外部接続口４０にホースを介して接続されたヘアキャップ４８に供給されるもので、ミストをヘアキャップ４８に供給することにより、パーマやカラーリング、トリートメント時、効率よく薬液の浸透を促進したり、ヘアに水分を浸透させることができることとなる。
【００３１】
なお、前記好ましい実施の形態では、ミストを温かいミストとしているが、蒸気を混合しない単なるミストのみとしてもよいことは勿論である。
【００３２】
【発明の効果】
本発明は前記説明により明らかなように、上下位置調整機構と左右位置調整機構とを有するヘッドに内蔵される蒸気発生機構とミスト発生機構とから発生される蒸気とミストとを混合する混合器を設け、該ヘッドに固定される後部ヘア処理部と、位置保持自在な可動機構を介して前記ヘッドに、頂部ヘア処理部と側部ヘア処理部とを被施術者の頭部と接離自在に設けたヘア処理装置であって、頂部ヘア処理部と側部ヘア処理部及び後部ヘア処理部に加熱機と送風機とを組み込むとともに、後部ヘア処理部と側部ヘア処理部に、前記混合器に接続管を介して接続されるミスト噴霧機を組み込んだ開放型とすることにより、ボンネット型のように薬剤臭が染み付くことがないので、被施術者は薬剤臭による不快感を受けることがない。しかも、開放型とすることによりヘッドを軽量化できるので、ボンネット型のものと比較して安定性や操作性がよい。また、可動機構により頭部との接離を行なうことにより、部分的な加熱や送風あるいはミスト噴霧を行なうことができるうえに、部分的に加熱強さや送風強さミスト噴霧強さを変えることができるので、ヘア処理の自由度が高くなる。さらに、送風や加熱あるいはミスト噴霧を行ないつつ施術を行なうこともできるので、ヘア処理の自由度が大幅に増すうえに、施術時間を短縮することができる。しかも、モータ等による駆動機構がないので、構造が簡単で故障することがなく、長期間耐用できるものとなる。また、上下位置調整機構と左右位置調整機構により被施術者の頭部位置とヘッド位置とを調整自在とすることにより、頂部ヘア処理部と側部ヘア処理部がどのような位置にあっても、被施術者の頭部位置とヘッド位置とを簡単且つ確実に合わせることができる。しかも、後部ヘア処理部または側部ヘア処理部に、加熱機、送風機、ミスト噴霧機を組み合せて組み込むことにより、各種ヘア処理を一つの装置で行なうことができる。さらに、ミスト噴霧機より噴霧されるミストがヘッドに設けられた蒸気発生機構とミスト発生機構とにより生成されるものとすることにより、最も重量のある機構の取付位置を下げることができるので、安定性を増すことができる。また、蒸気発生機構により発生された蒸気とミスト発生機構により発生されたミストが混合器で混合されることにより、的確にミストと蒸気が混合されるものとなる。請求項４のように、可動機構に最小開度または最大開度または最小および最大開度で頂部ヘア処理部または側部ヘア処理部を停止させるストッパ機構を設けることにより、頂部ヘア処理部または側部ヘア処理部の操作を安全なものとすることができるうえに、頂部ヘア処理部や側部ヘア処理部が不意に移動して被施術者に当たることを確実に防止できる。請求項５のように、後部ヘア処理部または頂部ヘア処理部または側部ヘア処理部が複数設けるものとすることにより、頭部全体のヘアに均一なヘア処理を行なうことができる。請求項８のように、ミスト噴霧機の噴霧ノズル部に液垂れ防止機構を設けることにより、施術中に結露水がヘアに滴下されてヘアカラーやヘアダイ時に色むら染めむらを生じさせることがないうえに、結露水が顔や頭部に滴下されて被施術者に不快感を与えることがない。請求項９のように、液垂れ防止機構が噴霧ノズル部の先端内周面に設けられた環状の堰または噴霧ノズル部の外周に巻装したヒータまたは噴霧ノズル部の外周に噴霧口より先端を張出させて嵌着した吸水体またはこれらを全てまたはこれらを適宜組み合せたものとすることにより、より確実に液垂れを防止することができる。請求項１０のように、環状の堰の内周端縁を鋭角部に形成することにより、結露水が大きく成長することを防止できるので、たとえ、結露水が滴下することがあってもヘア処理に影響を与えることがなく、しかも、被施術者に不快感を与えることがほとんどない。請求項１１のように、混合器にミスト分配部が一体的に設けられるものとすることにより、装置がコンパクトなものとなるうえに、部品数が低減できるので製造も簡単となり、故障も起こり難くなるうえに安価なものとすることができる。請求項１２のように、混合器からのミストが開閉弁を設けた分岐部を介して分岐されるものとすることにより、ミストを交互に切り換えて送出できるので、ミストの供給不足を防止することができる。請求項１３のように、分岐部に接続されるミスト送出管に複数の接続口形成した結露タンクを接続することにより、多数のミスト噴霧機よりミストを噴霧できるうえに、ミストに結露水が混じって噴霧されることを的確に防止できる等種々の利点を有するものである。
従って、本発明は従来の問題点を解消したヘア処理装置として業界の発展に寄与するところ極めて大なものである。
【図面の簡単な説明】
【図１】本発明の好ましい実施の形態を示す正面図である。
【図２】本発明の好ましい実施の形態を示す一部切欠側面図である。
【図３】本発明の好ましい実施の形態を示す平面図である。
【図４】本発明の好ましい実施の形態に用いられる可動機構を枢軸部に設けた例を示す一部切欠正面図である
【図５】本発明の好ましい実施の形態に用いられるストッパ機構を示す一部切欠側面図である。
【図６】本発明の好ましい実施の形態に用いられる後部または側部ヘア処理部の正面図である。
【図７】本発明の好ましい実施の形態に用いられる後部または側部ヘア処理部の断面図である。
【図８】本発明の好ましい実施の形態のミスト噴霧機に設けられる液垂れ防止機構を示す断面図である。
【図９】本発明の好ましい実施の形態に用いられる頂部ヘア処理部の正面図である。
【図１０】本発明の好ましい実施の形態に用いられる頂部ヘア処理部の断面図である。
【図１１】本発明の好ましい実施の形態の全体構造を示す概略説明図である。
【図１２】本発明の好ましい実施の形態に用いられる他のストッパ機構を示す側面図である。
【図１３】本発明の好ましい実施の形態に用いられる他の可動機構を示す一部切欠側面図である。
【図１４】本発明の好ましい実施の形態に用いられる他の可動機構を示す一部切欠正面図である。
【図１５】本発明の好ましい実施の形態に用いられる他の可動機構の可動状態を示す一部切欠側面図である。
【図１６】本発明の好ましい実施の形態のミスト噴霧機に設けられる他の液垂れ防止機構を示す断面図である。
【図１７】本発明の好ましい実施の形態のヘッドをヘッド取付ワゴンに組み込んだ例を示す正面図である。
【図１８】本発明の好ましい実施の形態のヘッドを高さ調整自在なヘッド取付用ワゴンに組み込んだ例を示す正面図である。
【図１９】本発明の好ましい実施の形態のヘッドを高さ調整自在なヘッド取付用ワゴンに組み込んだ例の状態を異にして示す正面図である。
【図２０】本発明の好ましい実施の形態のヘッドを高さ調整自在なヘッド取付用キャスター付きスタンドに組み込んだ例を示す正面図である。
【図２１】本発明の好ましい実施の形態のヘッドを高さ調整自在なヘッド取付用キャスター付きスタンドに組み込んだ例の状態を異にして示す正面図である。
【図２２】本発明の好ましい実施の形態の全体構造を示す概略説明図の他の例である。
【図２３】本発明の好ましい実施の形態のヘッドを壁に取り付けたヘッド取付アームに組み込んだ例を示す側面図である。
【図２４】本発明の好ましい実施の形態のヘッドを壁に取り付けたヘッド取付アームに組み込んだ例の可動状態を示す側面図である。
【図２５】本発明の好ましい実施の形態のヘッドを壁に取り付けたヘッド取付アームに組み込んだ例の収納状態を示す側面図である。
【図２６】本発明の好ましい実施の形態のヘッドを天井に取り付けたヘッド取付アームに組み込んだ例を示す側面図である。
【図２７】本発明の好ましい実施の形態のヘッドを天井に取り付けたヘッド取付アームに組み込んだ例の可動状態を示す側面図である。
【図２８】本発明の好ましい実施の形態のヘッドを天井に取り付けたヘッド取付アームに組み込んだ例の収納状態を示す側面図である。
【図２９】本発明の好ましい実施の形態のヘッドをスタンドに取り付けたヘッド取付アームに組み込んだ例を示す側面図である。
【図３０】本発明の好ましい実施の形態のヘッドをスタンドに取り付けたヘッド取付アームに組み込んだ例の可動状態を示す側面図である。
【図３１】本発明の好ましい実施の形態のヘッドをスタンドに取り付けたヘッド取付アームに組み込んだ例の収納状態を示す側面図である。
【符号の説明】
１  ヘッド
２  蒸気発生機構
３  ミスト発生機構
４  後部ヘア処理部
５  頂部ヘア処理部
６  側部ヘア処理部
７  可動機構
９  上下位置調整機構
10  左右位置調整機構
11  ヘッド取付用アーム
13  加熱機
14  送風機
15  ミスト噴霧機
16  アーム
20  ストッパ機構
22  液垂れ防止機構
22a  噴霧ノズル部
22b  堰
23  ヒータ
24  吸水体
25  鋭角部
35  混合器
36  分岐部
36a  ミスト送出管
36b  ミスト送出管
37a  開閉弁
37b  開閉弁
38  結露タンク
39  結露タンク
50  ミスト分配部
【図１】
0004570241.tif 000002
【図２】
0004570241.tif 000003
【図３】
0004570241.tif 000004
【図４】
0004570241.tif 000005
【図５】
0004570241.tif 000006
【図６】
0004570241.tif 000007
【図７】
0004570241.tif 000008
【図８】
0004570241.tif 000009
【図９】
0004570241.tif 000010
【図１０】
0004570241.tif 000011
【図１１】
0004570241.tif 000012
【図１２】
0004570241.tif 000013
【図１３】
0004570241.tif 000014
【図１４】
0004570241.tif 000015
【図１５】
0004570241.tif 000016
【図１６】
0004570241.tif 000017
【図１７】
0004570241.tif 000018
【図１８】
0004570241.tif 000019
【図１９】
0004570241.tif 000020
【図２０】
0004570241.tif 000021
【図２１】
0004570241.tif 000022
【図２２】
0004570241.tif 000023
【図２３】
0004570241.tif 000024
【図２４】
0004570241.tif 000025
【図２５】
0004570241.tif 000026
【図２６】
0004570241.tif 000027
【図２７】
0004570241.tif 000028
【図２８】
0004570241.tif 000029
【図２９】
0004570241.tif 000030
【図３０】
0004570241.tif 000031
【図３１】
0004570241.tif 000032